(57)【要約】【課題】飾りシートに透明形状を作らずにリモコン受光が可能になる受光部のみに特殊な印刷を行う必要がない技術を提供する。【解決手段】飾りシート５０は、前面側から順に、透明シート５１、ホットスタンプ５２、印刷層５３とを備え、両面テープ５４で飾りシート配置部２２に固定される。透明シート５１は、例えば、ポリカーボネートやポリスチレン、ＡＢＳ等の樹脂材をプレス成形加工したものである。ホットスタンプ５２は、濃い色の透明の箔状の部材であって、赤外線を透過させる特性を備え、透明シート５１の裏面全体に貼り付けられている。【選択図】図４
2014175990.tif 000002
【特許請求の範囲】
【請求項１】
リモートコントローラーの信号を取得する受光部と、前記受光部とキャビネットとの間に配置されるととともに、前記キャビネットの面から一部露出する導光体と、前記導光体の前面を覆って前記キャビネットに取り付けられる飾りシートと、を備える表示装置であって、
前記飾りシートは、透明シートと、前記透明シートの少なくとも一方の面に設けられたホットスタンプと、を有し、
前記ホットスタンプは、前記リモートコントローラーの信号を透過する特性を有することを特徴とする表示装置。
【請求項２】
前記ホットスタンプは、前記透明シートの少なくとも一方の面全体にわたって設けられていることを特徴とする請求項１に記載の表示装置。
【請求項３】
前記ホットスタンプの裏面側に、前記導光体が露出する部分を除いて印刷層が設けられ、前記印刷層と前記キャビネットとが接着手段で固定されることを特徴とする請求項２に記載の表示装置。
【発明の詳細な説明】
【技術分野】
【０００１】
本発明は、リモートコントローラーの受光装置を備える表示装置に関する。
【背景技術】
【０００２】
赤外線受光素子を利用した赤外線リモートコントローラー受光システムを採用するモデルにおいて受光素子を保護する機能を持つ飾り又はカバーを有する分野に利用できる。
【０００３】
一般的なテレビでは、リモートコントローラー（以下、単に「リモコン」ともいう）による操作が可能となっており、それにしたがって、リモコン受光部が設けられている。図１は、市場に投入されているテレビのリモコン受光部が配置された領域のフロントキャビネットの一部を示している。図示のように、フロントキャビネット１５０の所定の位置に開口１２４を設け、リモコン受光部に赤外線の信号を導光する導光体１３０が配置されている。このように、リモコン受光部を配置するあたり、飾りシート又はフロントキャビネットに穴を開けたり、対応する部分を透明にしたりすることで赤外線を受光するのが一般的である。
【０００４】
しかし、穴を開けると品位が下がと認識される場合があり、また、一部透明にした場合でも、明確にリモコン受光部が視認されてしまい、これもユーザに品位低下と判断される場合が出てくる。
【０００５】
このような背景から、リモコン受光部における受光性能を所望に確保しつつ、品位低下と認識されないような技術が提案されている。
【０００６】
例えば、具体的には、透明又は半透明基板の赤外線リモコンの受光部に対応する部分及び目隠し部分を可視光を透過せず赤外線を透過するインキで印刷している技術がある（例えば、特許文献１参照）。
【先行技術文献】
【特許文献】
【０００７】
【特許文献１】特開２００４−１９３７９２号公報
【発明の概要】
【発明が解決しようとする課題】
【０００８】
ところで、特許文献１に開示の技術では、部品点数を多くすることなく且つ印刷回数をより少なくし、比較的良好に赤外線リモコンの赤外線を受光する技術を実現することを目的としている。しかし、市場からのコスト低減の要請が厳しくなるなかで、一層の作業工程の低減と品位確保の両立が求められていた。特に、印刷によるインクの乾燥作業がどうしても必要となり、例えば他の工程として目隠し用の印刷等が残存しており、極力印刷工程を回避して製造効率を向上させる別の技術が求められていた。
【０００９】
また、赤外線受光部付近のみ、赤外線透過フィルターを貼り付けることによって、表面から受光部がわからず、品位を向上させる技術がある。しかしながら、特別なフィルターを穴部分にのみ貼り付けることは作業工数が増え、やはりコストアップにつながっていた。そのため、生産工数を上げることなく、リモコン受光部を見えにくくすることで、デザイン品位を落とさない技術が求められていた。
【００１０】
本発明は以上のような状況に鑑みなされたものであって、上記課題を解決する技術を提供することを目的とする。
【課題を解決するための手段】
【００１１】
本発明は、リモートコントローラーの信号を取得する受光部と、前記受光部とキャビネットとの間に配置されるととともに、前記キャビネットの面から一部露出する導光体と、前記導光体の前面を覆って前記キャビネットに取り付けられる飾りシートと、を備える表示装置であって、前記飾りシートは、透明シートと、前記透明シートの少なくとも一方の面に設けられたホットスタンプと、を有し、前記ホットスタンプは、前記リモートコントローラーの信号を透過する特性を有する。
また、前記ホットスタンプは、前記透明シートの少なくとも一方の面全体にわたって設けられてもよい。
また、前記ホットスタンプの裏面側に、前記導光体が露出する部分を除いて印刷層が設けられ、前記印刷層と前記キャビネットとが接着手段で固定されてもよい。
【発明の効果】
【００１２】
本発明によれば、デザイン性と製造効率を向上させた飾りシートを実現できる。
【図面の簡単な説明】
【００１３】
【図１】背景技術に係る、フロントキャビネットの飾りシートの領域を示した図である。
【図２】本発明の実施形態に係る、液晶テレビの正面図及び一部断面図である。
【図３】本発明の実施形態に係る、リモコン受光部が配置される部分の断面斜視図である。
【図４】本発明の実施形態に係る、図２のＡ１領域を拡大したリモコン受光部が配置される部分の断面図である。
【図５】本発明の実施形態に係る、リモコン受光部が配置される部分の各種構成部品の配置構造を模式的に示す図である。
【図６】本発明の実施形態に係る、図４の領域Ａ２を拡大した飾りシートの配置構造を示す図である。
【発明を実施するための形態】
【００１４】
次に、本発明を実施するための形態（以下、単に「実施形態」という）を、図面を参照して具体的に説明する。なお、本実施形態では、リモコン装置を備える表示装置として液晶テレビについて例示するが、当然に有機ＥＬテレビのような他の表示装置についても適用することができる。特に、リモコン受光部の配置構成に制約が大きい薄型表示装置において好適である。
【００１５】
図２（ａ）は本実施形態に係る液晶テレビ１０の正面図であり、図２（ｂ）は一部断面図（Ａ−Ａ断面図）であり、特に、リモコン受光部３０が配置される領域に着目して示している。
【００１６】
図示のように、液晶テレビ１０は、表示パネル１２と、表示パネル１２の前面の外周面を覆うフロントキャビネット２０と、背面を覆うリヤキャビネット１４とを備える。
【００１７】
液晶テレビ１０の内部では、フロントキャビネット２０の部分にリモコン受光部３０が配置される。フロントキャビネット２０において、リモコン受光部３０の前面には所定の開口が設けられ、リモコン受光部３０に赤外線の操作信号を導光する導光体４０が配置されている。さらに、導光体４０の前面を覆うようにして、フロントキャビネット２０には飾りシート５０が設けられている。
【００１８】
つづいて、図３〜図６を参照して、飾りシート５０に関してリモコン受光部３０との関係を示しつつ説明する。
【００１９】
図３は、液晶テレビ１０の断面図に関してリモコン受光部３０が配置される領域について拡大して示した斜視図である。また、図４は、図２の領域Ａ１を拡大して示した図である。さらに、図５は、リモコン受光部３０が配置される部分の各種構成部品の配置構造を模式的に示す図であり、特に飾りシート５０について分離して示している。さらに、図６は図４の領域Ａ２を拡大して飾りシート５０の配置構造を詳細に示した断面図である。
【００２０】
図３や図５に示すように、リモコン受光部３０は、受光基板３２と、その前面側に配置された受光素子３４とを備え、所定のリモコン装置から赤外線の操作信号を取得する。
【００２１】
受光素子３４の前面側には、導光体４０が配置され、液晶テレビ１０の内部に配置される受光素子３４へ赤外線の信号を導く。より具体的には、フロントキャビネット２０の前面下側領域の所定の位置に、飾りシート５０を配置するための飾りシート配置部２２が設けられている。
【００２２】
飾りシート配置部２２の所定の位置に、開口部２４が形成されている。その開口部２４に導光体４０の前面側の筒状形状が嵌め込まれるように、導光体４０が受光素子３４とフロントキャビネット２０の間に配置される。本実施形態では、例えば図４に示すように、導光体４０の前面（入射面）と飾りシート５０とはわずかに離間して配置されている。
【００２３】
飾りシート５０は、前面側（図４〜図６では右側）から順に、透明シート５１、ホットスタンプ５２、印刷層５３とを備え、両面テープ５４で飾りシート配置部２２に固定される。なお、両面テープ５４は、飾りシート５０に一方の面を接着されて供給される場合には、両面テープ５４は飾りシート５０の構成要素といえる。また、接着手段として両面テープ５４の代わりに、例えば、糊印刷が用いられてもよい。
【００２４】
透明シート５１は、例えば、ポリカーボネートやポリスチレン、ＡＢＳ等の樹脂材をプレス成形加工したものである。
【００２５】
ホットスタンプ５２は、濃い色の透明の箔状の部材であって、赤外線を透過させる特性を備えている。このホットスタンプ５２は、ポリカーボネートシート５１の裏面全体に貼り付けられており、特に、赤外線を透過させる特性を有するので導光の為の開口形状等は設けられていない。ここでは、ホットスタンプ５２がポリカーボネートシート５１の裏面側に貼り付けられている構成について例示するが、ポリカーボネートシート５１の前面側に貼り付けられてもよいし、また両面に貼り付けられてもよい。なお、一般的にキャビネットに用いられるホットスタンプ（箔）は単に意匠状の観点から貼りつけるものであり、本実施形態のように、箔状のホットスタンプ５２を通して赤外線を透過させることは行われていない。また、ホットスタンプ５２としては一般に市場に投入されている部材を用いることができ、赤外線の透過率（飾りシート５０を透過し受光素子３４で受光する効率）は５０−６０％程度のものが確認できている。
【００２６】
ホットスタンプ５２の裏面には、一般的な印刷層５３が形成されている。印刷層５３は、主に、フロントキャビネット２０（飾りシート配置部２２）の地色・地肌や両面テープ５４等を目立たなくするために設けられており、例えば、印刷層５３として例えば黒印刷層やグレー印刷層等が用いられている。また、導光体４０が配置される開口部２４に対応する領域では、赤外線を透過させるために印刷層５３は形成されていない。なお、フロントキャビネット２０の地色や両面テープ５４等の視認性を考慮する必要がない場合には、印刷層５３は設けられなくともよい。
【００２７】
そして、飾りシート配置部２２の開口部２４を除いた領域において、両面テープ５４により飾りシート５０が、より具体的には印刷層５３が接着される。
【００２８】
以上、本実施形態によると、ポリカーボネート等の透明シート５１にホットスタンプ５２及び印刷層５３が設けられている飾りシート５０を液晶テレビ１０に採用した。そして、箔状のホットスタンプ５２が赤外線透過する材質となっている。その結果、特定部分（目隠し部分）に赤外線透過特性のインクを印刷するのではないので、飾りシート５０全体に立体感を出しことができ、かつ、導光体４０を見えにくくすることができる。したがって、デザイン品位を向上させる液晶テレビ１０を実現することができる。また、赤外線透過特性のインクを印刷するのではなく、箔状のホットスタンプ５２を透明シート５１の裏面全面に貼り付けることから、塗布・乾燥工程がなく、作業効率が向上する。
【００２９】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。なお、本実施形態では、リモコンの操作信号として赤外線信号を例示したがこれに限る趣旨では無く、他の種類の信号についても適用でき、信号の種類に応じて、ホットスタンプ５２の透過特性が適宜選択されるものである。また、ホットスタンプ５２はポリカーボネートシート５１の全面に貼り付けられるとしているが、必要に応じて適宜所定の領域が取り除かれるものであることは言うまでも無い。また、飾りシート５０の配置位置はフロントキャビネット２０に限る趣旨では無く、リモコン受光部３０（導光体４０）の位置に応じて適宜変更することができる。
【符号の説明】
【００３０】
１０  液晶テレビ
１２  表示パネル
２０  フロントキャビネット
２２  飾りシート配置部
２４  開口部
３０  リモコン受光部
３４  受光素子
４０  導光体
５０  飾りシート
５１  透明シート
５２  ホットスタンプ
５３  印刷層
５４  両面テープ
【図１】
2014175990.tif 000003
【図２】
2014175990.tif 000004
【図３】
2014175990.tif 000005
【図４】
2014175990.tif 000006
【図５】
2014175990.tif 000007
【図６】
2014175990.tif 000008